(57)【要約】      （修正有）【課題】水の浄化を持続して行うための沈殿及び濾過による水交換装置を提供する。【解決手段】水交換装置は、交換ユニット２Ｂに進水端２１Ｂ及び出水端２２Ｂが設置され、進水端上にはフィルターネット２３Ｂが設置され、フィルターネット内側に第一気泡管２４Ｂが設置され、外側には第二気泡管２５Ｂが設置されている。第一気泡管及び第二気泡管は気圧ポンプ２６Ｂに連結している。交換ユニットには取水ポンプ２７Ｂが設置されている。取水ポンプには、出水端２２Ｂに連結された送水管２８Ｂが設置されている。第一気泡管及び第二気泡管が同時に噴出する気泡を利用し、フィルターネット上に詰まった排泄物又は残餌の微粒子Ｆ１を吹き散らす。これにより、フィルターネットは詰まることなく、きれいな状態が保持され、汚水の浄化を持続して行うことができる。【選択図】図１
0003189840.tif 000002
【実用新案登録請求の範囲】
【請求項１】
沈殿及び濾過が可能な水交換装置であって、
進水端と、
出水端と、
前記進水端上に設置されたフィルターネットと、
前記フィルターネットの内側に設置された第一気泡管と、
前記フィルターネットの外側に設置された第二気泡管と、
前記第一気泡管及び前記第二気泡管に連接された気圧ポンプと、
取水ポンプと、
前記取水ポンプに設置され、前記出水端に連接している送水管と、
を有する交換ユニットを備えることを特徴とする水交換装置。
【請求項２】
内部に配置された水収容空間と、
底部に設置された収集口と、
前記収集口に通じる導流管と、
を有する養殖槽をさらに備えており、
前記交換ユニットは、前記水収容空間内に設置されていることを特徴とする請求項１に記載の水交換装置。
【請求項３】
前記フィルターネットは、一層の不織布であることを特徴とする請求項１に記載の水交換装置。
【請求項４】
前記第一気泡管及び前記第二気泡管は、前記フィルターネットに対して垂直に対面していることを特徴とする請求項１に記載の水交換装置。
【請求項５】
進水端と、
出水端と、
前記進水端上に設置されたフィルターネットと、
前記出水端に設置された第一サイフォンと、
前記進水端と前記出水端との間に接続された中空の気泡トレイであって、前記進水端と前記出水端とを連通する少なくとも１個の貫通孔、及び、前記フィルターネットの内側及び外側に相対して分布するよう配置された複数の気孔が形成されている気泡トレイと、
前記気泡トレイに接続され、かつ、前記気孔に連通している気泡管と、
前記気泡管に連結された前記気圧ポンプと、
を有する第一交換ユニットを備えていることを特徴とする水交換装置。
【請求項６】
水収容空間を有する養殖槽をさらに備えており、
前記第一交換ユニットは、前記水収容空間内に設置されていることを特徴とする請求項５に記載の水交換装置。
【請求項７】
前記養殖槽は、
不透明な上方部位と、
不透明な下方部位と、
前記上方部位と前記下方部位との間に配置された透明の光透過部位と、
前記養殖槽の前記下方部位に配置された収集口と、
前記収集口に通じる導流管と、
を有することを特徴とする請求項６に記載の水交換装置。
【請求項８】
前記第一交換ユニットの第一サイフォンの反対端は、濾過池に連結しており、
前記濾過池内に設置され、浄化池に連結した第二サイフォンを有する第二交換ユニットと、
前記浄化池の内部に設置された取水ポンプと、
前記取水ポンプに設置された出水管と、
前記出水管に連結されたスキマーと、
前記スキマーに設置され、前記養殖槽に連結している回流管と、
をさらに備えることを特徴とする請求項６に記載の水交換装置。
【請求項９】
前記第一交換ユニットは、
前記進水端に設定され、進水空間を囲むように形成している複数の支柱と、
前記支柱の外縁に設置されたフィルターネットと、をさらに有することを特徴とする請求項５に記載の水交換装置。
【請求項１０】
前記出水端は、出水空間であることを特徴とする請求項５に記載の水交換装置。
【考案の詳細な説明】
【技術分野】
【０００１】
本考案は、沈殿及び濾過が可能な養殖槽等の水交換装置に関する。
【背景技術】
【０００２】
観賞魚水槽、養殖池、又は池等の魚類等水生動物を飼育するための飼育装置は、魚類の排泄物が底にたまり易く、人手での清掃が容易でないため、水質の悪化を招いていた。これが、魚類の大量死につながることもあり、水質の浄化は喫緊の課題である。
【０００３】
特許文献１に開示された「観賞魚水槽の内部設置循環濾過装置」は、観賞魚水槽内を隔板で区画し、主貯水槽と濾過水槽の２エリアに分けられる。濾過水槽中は、複数のオーバーフロープレートと間隔板により、複数の濾過室とオーバーフロー室とに分けられる。これにより、各濾過室に対応するオーバーフロー室の底部は導通状を呈し、各濾過室の下端部は中空であって複数組のモジュール化した濾過材が設置される。濾過水槽内の末端のオーバーフロー室には、水中モーターが設置される。このようにして、内部設置式の濾過装置が構成される。
【０００４】
特許文献２に開示された「池の汚染排除浄化構造」は、２つの構成を備える。１つ目の構成は、動力不要な圧力差を利用した池本体の汚染除去構成であり、池本体底部には１０〜１５度の所定の傾斜が設けられている。この所定傾斜の最低位置には、汚染収集凹槽が設置されている。凹槽上はフィルターネットで覆われている。連通管の一端が凹槽に連結され、そのする。
反対端は、池辺へと延長されている。可動管により排水をコントロールし、水位圧差を利用して、池底の汚染物を排出する。
【０００５】
２つめの構成は、沈殿、濾過、汚染除去、及び淨化の機能を備える簡易濾過槽体であり、実際の状況に応じて、単槽を使用するか、又は、多槽を合併して使用する。取水ポンプを利用し、管路を経て、池の水を濾過槽体へ取水する。槽体内にはシュロタワシ又はガーゼ等の濾過体が入れられ、水の流速を遅くして浮遊汚染物を沈殿させている。また、濾過体上に硝化菌が付着されており、水中の窒素を循環させることができる。槽底に汚染収集凹槽が配置されることにより、汚染除去時には、水位差が生じる圧力を利用して汚泥を排出することができる。濾過槽体の水面には、大量の水生植物を置き、美化を図ると共に、水中の硝酸塩を吸収し、水質の富栄養化を防ぐことができる。池本体及び濾過槽体が排出する汚水は、花や他の農作物の天然肥料として使用することができる。
【先行技術文献】
【特許文献】
【０００６】
【特許文献１】台湾特許第Ｍ２６３７４９号明細書
【特許文献１】台湾特許第Ｍ４４９４５４号明細書
【考案の概要】
【考案が解決しようとする課題】
【０００７】
しかし、上述した考案は欠点があり、改善する必要がある。その欠点とは下記の通りである。
【０００８】
（１）特許文献１の濾過装置は、粗粒子を濾過する機能しか備えないが、一般の魚類又はブラインシュリンプ等の水族生物の排泄物又は残餌には、粗粒子と微粒子がある。このため、特許文献１の濾過装置は、排泄物又は残餌の微粒子を除去する機能を備えない。
【０００９】
（２）特許文献２の浄化構造は、無動力汚染除去構造に区分され、水中の魚類の糞便、落葉、又は残余飼料等の粗粒子を排除することができ、沈殿、濾過、汚染除去、及び淨化の機能を統合した濾過槽体をも備え、同様に粗粒子を除去することができる。しかし、上述した２つの構成をそれぞれ設置するため、全体の体積が大きくなり過ぎる。さらに、水中の微粒子を取り除くことができないため、使用において理想的でない。
【００１０】
本考案は、上述の問題に鑑みてなされたものであり、その目的は、沈殿及び濾過が可能な水交換装置を提供することにある。
【課題を解決するための手段】
【００１１】
本考案による水交換装置は、進水端と、出水端と、進水端上に設置されたフィルターネットと、フィルターネットの内側に設置された第一気泡管と、フィルターネットの外側に設置された第二気泡管と、第一気泡管及び第二気泡管に連結された気圧ポンプと、取水ポンプと、取水ポンプに設置され、出水端に連結している送水管と、を有する交換ユニットを備えていることを特徴とする。
【００１２】
また、本校案による水交換装置は、進水端と、出水端と、進水端上に設定されたフィルターネットと、出水端に設置された第一サイフォンと、前記進水端と前記出水端との間に接続された中空の気泡トレイであって、進水端と出水端とを連通する少なくとも１個の貫通孔、及び、フィルターネットの内側及び外側に相対して分布するよう配置された複数の気孔が形成されている気泡トレイと、気泡トレイに接続され、かつ、気孔に連通している気泡管と、気泡管に連結された前記気圧ポンプと、を有する第一交換ユニットを備えていることを特徴とする。
【００１３】
本考案の効果は下記の通りである。
（１）本考案は、魚類排泄物又は残餌の粗粒子を、迅速に收集して排出でき、沈澱させて液体肥料とでき、又は水分を除いて乾燥させ、濃縮汚泥とし、土壌肥料又は他の用途に使用することができる。
【００１４】
（２）本考案では、フィルターネット上に詰まった魚類排泄物又は残餌の微粒子を吹き散らすことができる。これにより、フィルターネットは詰まることがなく、きれいな状態が長く保持される。また、汚水を浄化後に回流させることにより、水の循環使用が可能である。
【００１５】
（３）本考案は、濾過槽又は養殖槽等に使用することができ、これにより濾過、沈澱、及び水交換循環等の多重の使用機能を達成する。
【図面の簡単な説明】
【００１６】
【図１】本考案の第一実施形態による交換ユニットを示す模式図である。
【図２】本考案の第一実施形態の使用時を示す模式図である。
【図３】本考案の第二実施形態の使用時を示す模式図である。
【図４】本考案の第二実施形態による第一交換ユニットを示す斜視図である。
【図５】本考案の第二実施形態による第一交換ユニットの作動状態を示す模式図である。
【考案を実施するための形態】
【００１７】
本考案の実施形態による沈殿及び濾過が可能な水交換装置を図面に基づいて説明する。
（一実施形態）
本考案の第一実施形態による水交換装置を図１及び図２に示す。図１及び図２に示すように、本実施形態の水交換装置は、養殖槽１Ｂ及び交換ユニット２Ｂを備える。
【００１８】
養殖槽１Ｂは、ブラインシュリンプ又は魚を入れるための槽である。養殖槽１Ｂは、内部に、水収容空間１３Ｂを有する。養殖槽１Ｂの底部には、収集口１４Ｂが設置され、導流管１５Ｂが収集口１４Ｂへ通じている。
【００１９】
交換ユニット２Ｂは、養殖槽１Ｂの水収容空間１３Ｂ内に設置されている。交換ユニット２Ｂには、進水端２１Ｂ及び出水端２２Ｂが設置されている。
進水端２１Ｂ上には、不織布材質で製造された一層のフィルターネット２３Ｂが設置されている。
【００２０】
フィルターネット２３Ｂの内側には、第一気泡管２４Ｂが設置され、外側には、第二気泡管２５Ｂが設置されている。第一気泡管２４は、フィルターネット２３Ｂに対して垂直に対面し、第二気泡管２５Ｂは、フィルターネット２３Ｂに対して垂直に接している。第一気泡管２４Ｂ及び第二気泡管２５Ｂは、気圧ポンプ２６Ｂに連接している。
【００２１】
また、交換ユニット２Ｂには、取水ポンプ２７Ｂが設置されている。取水ポンプ２７Ｂには、出水端２２Ｂに連接された送水管２８Ｂが設置されている。
【００２２】
交換ユニット２Ｂの使用時には、出水端２２ＢはスキマーＨに連接されている。
交換ユニット２Ｂ内の取水ポンプ２７Ｂが起動すると、進水端２１Ｂより、養殖槽１Ｂ内の汚水Ｇを汲み取り、送水管２８ＢによりスキマーＨへと送り、微粒子除去作用を行う。その後、養殖槽１Ｂ内へ回流させ、循環させる。
【００２３】
養殖槽１Ｂの導流管１５Ｂは、浄化池Ｄに連接されている。養殖槽１Ｂ内のブラインシュリンプ又は魚の排泄物又は残餌の粗粒子Ｆは、収集口１４Ｂより收集され、導流管１５Ｂにより排出されて浄化池Ｄへと送られる。その後、浄化池Ｄで沈澱が行われ、肥料水となる。又は、沈澱池Ｄ内の水分を除去し、乾燥させ、濃縮汚泥を形成することにより、土壌肥料又は他の用途として使用される。
【００２４】
微小な排泄物又は残餌の微粒子Ｆ１が、進水端２１Ｂ上のフィルターネット２３Ｂに詰まった時には、気圧ポンプ２６Ｂを起動した時に、第一気泡管２４Ｂ及び第二気泡管２５Ｂが同時に噴出する気泡を利用し、フィルターネット２３Ｂ上に詰まった排泄物又は残餌の微粒子Ｆを吹き散らす。これによって、フィルターネット２３Ｂは詰まることがなくなり、きれいな状態を保持することができる。
【００２５】
また、汚水Ｇは、スキマーＨを通す処理後、養殖槽１Ｂ内に回流されることにより、継続して使用することができる。
【００２６】
本考案の第二実施形態は、図３に示すように、ブラインシュリンプ又は魚の養殖槽４が設置されている。養殖槽４は、内部に水収容空間４１を有している。養殖槽４の上方部位及び下方部位は、不透明材質により製造されている。養殖槽４の中央部位には、透明の光透過エリア４２が配置されている。透過エリア４２は、養殖槽４の中で飼育する走光性のブラインシュリンプ又は魚等水族生物を集め、養殖槽４の上方及び下方から離れさせる。養殖槽４の下方部位には、収集口４３が設置されている。収集口４３は導流管４４に通じている。
【００２７】
第一交換ユニット５は、図４に示すように、養殖槽４の水収容空間４１内に設置されている。第一交換ユニット５には、進水端５１及び出水端５２が設置されている。進水端５１と出水端５２との間には、中空の気泡トレイ５３が連接されている。
【００２８】
また、進水端５１には、複数の支柱５１１が設置され、複数の支柱５１１に取り囲まれた進水空間が形成されている。各支柱５１１の外縁には、不織布材質で製造する一層のフィルターネット５４が設置されている。出水端５２は、出水空間であり、第一サイフォン５５が貫通状に設置されている。
【００２９】
気泡トレイ５３には複数の貫通孔５３１が形成されており、これにより、進水端５１と出水端５２とは連通している。また、気泡トレイ５３には、複数の気孔５３２が形成されている。各気孔５３２は、フィルターネット５４の内側及び外側に、相対して分布するように配置されている。
【００３０】
気泡トレイ５３には、気泡管５６が接続されている。気泡管５６の一端は、各気孔５３２に連通しており、気泡管５６の他端は、気圧ポンプ５７に連接されている。気圧ポンプ５７を利用して空気を充填する時には、気泡管５６を通して気体を送り、各気孔５３２により気泡を噴出することができる。このとき、気泡は、フィルターネット５４の内側及び外側に分布して噴出する。
【００３１】
使用時には、図３及び図５に示すように、第一交換ユニット５の第一サイフォン５５の反対端は、別の濾過池Ｆに連接されている。濾過池Ｆ内には、同様に、別の一組の交換ユニット５が設置されている。
【００３２】
本考案では、少なくとも一組以上の濾過池Ｆ及び第一交換ユニット５を直列接続することができる。本実施形態では、一組の濾過池Ｆを例として説明する。
【００３３】
濾過池Ｆ内に設置された第二交換ユニット５Ａの第二サイフォン５５Ａの反対端は、浄化池Ｄに連接されている。浄化池Ｄの内部には、取水ポンプＤ１が設置されている。取水ポンプＤ１の出水管Ｄ２は、スキマーＨに連接されている。スキマーＨには、回流管Ｈ１が設置され、スキマー処理後の水は養殖槽４に回流される。
【００３４】
養殖槽４内のブラインシュリンプ又は魚は、走光性を備えるため、中央位置の光透過エリア４２に集まり、上方へと第一交換ユニット５へ移動したり、又は下方へと収集口４３へ移動したりしない。
【００３５】
第一交換ユニット５は、第一サイフォン５５が発生するサイフォン作用により、養殖槽４内で発生する汚水を、進水端５１から吸入する。吸入された汚水Ｇは、気泡トレイ５３の貫通孔５３１を通り、出水端５２に進入する。次に、第一サイフォン５５を通して、濾過池Ｆ内へとサイフォン作用で移動する。濾過池Ｆ内の水は、同様に、第二交換ユニット５Ａの第二サイフォン５５Ａを通り、サイフォン作用により浄化池Ｄへと移動する。
【００３６】
浄化池Ｄ内の汚水は、取水ポンプＤ１及びその出水管Ｄ２によって、微粒子除去を行うスキマーＨに送られる。その後、スキマー処理過後の水は、回流管Ｈ１によって養殖槽４内へと回流される。これによって、きれいな水への交換が行われる。
【００３７】
養殖槽４内のブラインシュリンプ又は魚の排泄物又は残餌の粗粒子Ｆは、収集口４３を通じて收集され、導流管４４により排出されることにより、収集処理される。
【００３８】
微小な排泄物又は残餌の微粒子Ｆが、進水端５１上のフィルターネット５４に詰まった時には、気圧ポンプ５７の起動時に気泡管５６から送り出される気体が、各気孔５３２から気泡として噴出されることを利用する。各気泡は、フィルターネット５４の内側及び外側に分布して噴出し、フィルターネット５４に詰まっていた排泄物又は残餌Ｆを吹き散らす。このため、フィルターネット５４は詰まることがなく、きれいな状態が長く保持される。
【００３９】
上述の実施形態の説明を総合すると、本考案の操作、使用、及び本考案が生じさせる効果を充分理解することができる。但し、以上に述べた実施形態は単に本考案の好ましい実施形態であり、これによって本考案の実用新案登録請求の範囲は限定されない。即ち本考案の実用新案登録請求の範囲及び明細書の内容に基づいて、同等効果を有する簡単な置換及び修飾は、全て、本考案の範囲に属するものとする。
【符号の説明】
【００４０】
１Ｂ  養殖槽
１３Ｂ  水収容空間
１４Ｂ  収集口
１５Ｂ  導流管
２Ｂ  交換ユニット
２１Ｂ  進水端
２２Ｂ  出水端
２３Ｂ  フィルターネット
２４Ｂ  第一気泡管
２５Ｂ  第二気泡管
２６Ｂ  気圧ポンプ
２７Ｂ  取水ポンプ
２８Ｂ  送水管
４  養殖槽
４１  水収容空間
４２  光透過エリア
４３  収集口
４４  導流管
５  第一交換ユニット
５１  進水端
５１１  支柱
５２  出水端
５３  気泡トレイ
５３１  貫通孔
５３２  気孔
５４  フィルターネット
５５  第一サイフォン
５６  気泡管
５７  気圧ポンプ
５Ａ  第二交換ユニット
５５Ａ  第二サイフォン
Ｄ  浄化池
Ｄ１  取水ポンプ
Ｄ２  出水管
Ｅ  濾過池
Ｆ  排泄物又は残餌の粗粒子
Ｆ１  排泄物又は残餌の微粒子
Ｇ  汚水
Ｈ  スキマー
Ｈ１  回流管
【図１】
0003189840.tif 000003
【図２】
0003189840.tif 000004
【図３】
0003189840.tif 000005
【図４】
0003189840.tif 000006
【図５】
0003189840.tif 000007